【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
画像データの出力が可能な複数の画像形成デバイスそれぞれの画質の変動量を、キャリブレーション実行時の画像形成の結果と、当該キャリブレーション実行後の画像形成の結果と、に基づき補間する補間手段と、
前記補間手段による前記補間の結果に基づき、出力すべき画像データに対する画質の変動量を前記複数の画像形成デバイスそれぞれに対して算出する算出手段と、
前記算出手段の算出結果に基づき、前記画像データの出力先として前記複数の画像形成デバイスの優先順位を決定する決定手段と、
前記決定手段により決定された前記優先順位に従って、前記複数の画像形成デバイスの中から選択が可能な画像形成デバイスをリスト表示する表示手段と
を備えることを特徴とする画像処理装置。
【請求項２】
出力すべきカラー画像データから出現頻度の高いＲＧＢ値を抽出する抽出手段を更に備えることを特徴とする請求項１に記載の画像処理装置。
【請求項３】
前記抽出手段により抽出されたＲＧＢ値を入力とし、前記補間手段により補間された前記変動量を出力とした、３次元ルックアップテーブルに基づき、前記算出手段は、前記ＲＧＢ値の変動量を算出することを特徴とする請求項２に記載の画像処理装置。
【請求項４】
前記抽出手段は、出力すべきモノクロ画像データから輝度の情報を抽出し、
前記抽出手段により抽出された輝度の情報を入力とし、前記補間手段により補間された前記変動量を出力とした、１次元ルックアップテーブルに基づき、前記算出手段は、前記輝度の情報の変動量を算出することを特徴とする請求項２に記載の画像処理装置。
【請求項５】
前記抽出手段により抽出されたＲＧＢ値が、前記複数の画像形成デバイスで再現可能な範囲内か否かを判定する判定手段を更に備え、
前記決定手段は、前記算出手段の算出結果と、前記判定手段の判定結果と、に基づき、前記複数の画像形成デバイスの優先順位を決定することを特徴とする請求項２または３に記載の画像処理装置。
【請求項６】
前記複数の画像形成デバイスの性能を評価するためのデバイス情報を取得する取得手段を更に備え、
前記算出手段の算出結果が複数の画像形成デバイスで同一となった場合に、前記決定手段は、前記取得手段により取得された前記デバイス情報に基づき、当該算出結果が同一となった複数の画像形成デバイスの優先順位を決定することを特徴とする請求項１に記載の画像処理装置。
【請求項７】
特定の色の再現性を強調するために、当該特定の色の指定を受け付ける指定手段を更に備え、
前記指定手段により前記特定の色が指定された場合に、前記抽出手段は、前記カラー画像データから対応する色の色候補を抽出することを特徴とする請求項２に記載の画像処理装置。
【請求項８】
複数の画像形成装置とネットワークを介して接続され、前記複数の画像形成装置のいずれかに画像データを送信する画像処理装置であって、
前記画像データから出現頻度の高い色を抽出する抽出手段と、
前記複数の画像形成装置においてキャリブレーションが実行され基準時間が経過した後の前記複数の画像形成装置における色ごとの色味の変動量と、キャリブレーション後の経過時間を用いて、前記画像データを送信する時に前記複数の画像形成装置それぞれに対して色味の変動量を算出する算出手段と、
前記算出手段によって算出された前記変動量を用いて、前記出現頻度の高い色の変動量を表示する表示手段と、
を備えることを特徴とする画像処理装置。
【請求項９】
補間手段が、画像データの出力が可能な複数の画像形成デバイスそれぞれの画質の変動量を、キャリブレーション実行時の画像形成の結果と、当該キャリブレーション実行後の画像形成の結果と、に基づき補間する補間工程と、
算出手段が、前記補間工程による前記補間の結果に基づき、出力すべき画像データに対する画質の変動量を前記複数の画像形成デバイスそれぞれに対して算出する算出工程と、
決定手段が、前記算出工程の算出結果に基づき、前記画像データの出力先として前記複数の画像形成デバイスの優先順位を決定する決定工程と、
表示手段が、前記決定工程により決定された前記優先順位に従って、前記複数の画像形成デバイスの中から選択が可能な画像形成デバイスをリスト表示する表示工程と
を有することを特徴とする画像処理装置の制御方法。
【請求項１０】
抽出手段が、出力すべきカラー画像データから出現頻度の高いＲＧＢ値を抽出する抽出工程を更に有することを特徴とする請求項９に記載の画像処理装置の制御方法。
【請求項１１】
前記抽出工程により抽出されたＲＧＢ値を入力とし、前記補間工程により補間された前記変動量を出力とした、３次元ルックアップテーブルに基づき、前記算出工程では、前記ＲＧＢ値の変動量を算出することを特徴とする請求項１０に記載の画像処理装置の制御方法。
【請求項１２】
前記抽出工程では、出力すべきモノクロ画像データから輝度の情報を抽出し、
前記抽出工程により抽出された輝度の情報を入力とし、前記補間工程により補間された前記変動量を出力とした、１次元ルックアップテーブルに基づき、前記算出工程では、前記輝度の情報の変動量を算出することを特徴とする請求項１０に記載の画像処理装置の制御方法。
【請求項１３】
判定手段が、前記抽出工程により抽出されたＲＧＢ値が、前記複数の画像形成デバイスで再現可能な範囲内か否かを判定する判定工程を更に有し、
前記決定工程では、前記算出工程の算出結果と、前記判定工程の判定結果と、に基づき、前記複数の画像形成デバイスの優先順位を決定することを特徴とする請求項１０または１１に記載の画像処理装置の制御方法。
【請求項１４】
取得手段が、前記複数の画像形成デバイスの性能を評価するためのデバイス情報を取得する取得工程を更に有し、
前記算出工程の算出結果が複数の画像形成デバイスで同一となった場合に、前記決定工程では、前記取得工程により取得された前記デバイス情報に基づき、当該算出結果が同一となった複数の画像形成デバイスの優先順位を決定することを特徴とする請求項９に記載の画像処理装置の制御方法。
【請求項１５】
指定手段が、特定の色の再現性を強調するために、当該特定の色の指定を受け付ける指定工程を更に有し、
前記指定工程により前記特定の色が指定された場合に、前記抽出工程では、前記カラー画像データから対応する色の色候補を抽出することを特徴とする請求項１０に記載の画像処理装置の制御方法。
【請求項１６】
複数の画像形成装置とネットワークを介して接続され、前記複数の画像形成装置のいずれかに画像データを送信する画像処理装置の制御方法であって、
抽出手段が、前記画像データから出現頻度の高い色を抽出する抽出工程と、
算出手段が、前記複数の画像形成装置においてキャリブレーションが実行され基準時間が経過した後の前記複数の画像形成装置における色ごとの色味の変動量と、キャリブレーション後の経過時間を用いて、前記画像データを送信する時に前記複数の画像形成装置それぞれに対して色味の変動量を算出する算出工程と、
表示手段が、前記算出工程によって算出された前記変動量を用いて、前記出現頻度の高い色の変動量を表示する表示工程と、
を有することを特徴とする画像処理装置の制御方法。
【請求項１７】
請求項９乃至１６のいずれか１項に記載の画像処理装置の制御方法をコンピュータに実行させるためのプログラム。
【請求項１８】
請求項１７に記載のプログラムを記憶したことを特徴とするコンピュータ可読の記憶媒体。
【手続補正２】
【補正対象書類名】明細書
【補正対象項目名】０００９
【補正方法】変更
【補正の内容】
【０００９】
本発明に係る画像処理装置は、画像データの出力が可能な複数の画像形成デバイスそれぞれの画質の変動量を、キャリブレーション実行時の画像形成の結果と、当該キャリブレーション実行後の画像形成の結果と、に基づき補間する補間手段と、
前記補間手段による前記補間の結果に基づき、出力すべき画像データに対する画質の変動量を前記複数の画像形成デバイスそれぞれに対して算出する算出手段と、
前記算出手段の算出結果に基づき、前記画像データの出力先として前記複数の画像形成デバイスの優先順位を決定する決定手段と、
前記決定手段により決定された前記優先順位に従って、前記複数の画像形成デバイスの中から選択が可能な画像形成デバイスをリスト表示する表示手段と
を備えることを特徴とする。
【手続補正３】
【補正対象書類名】明細書
【補正対象項目名】００１０
【補正方法】変更
【補正の内容】
【００１０】
あるいは、本発明に係る画像処理装置は、複数の画像形成装置とネットワークを介して接続され、前記複数の画像形成装置のいずれかに画像データを送信する画像処理装置であって、
前記画像データから出現頻度の高い色を抽出する抽出手段と、
前記複数の画像形成装置においてキャリブレーションが実行され基準時間が経過した後の前記複数の画像形成装置における色ごとの色味の変動量と、キャリブレーション後の経過時間を用いて、前記画像データを送信する時に前記複数の画像形成装置それぞれに対して色味の変動量を算出する算出手段と、
前記算出手段によって算出された前記変動量を用いて、前記出現頻度の高い色の変動量を表示する表示手段と、
を備えることを特徴とする。
【手続補正４】
【補正対象書類名】明細書
【補正対象項目名】００１１
【補正方法】変更
【補正の内容】
【００１１】
あるいは、本発明に係る画像処理装置の制御方法は、補間手段が、画像データの出力が可能な複数の画像形成デバイスそれぞれの画質の変動量を、キャリブレーション実行時の画像形成の結果と、当該キャリブレーション実行後の画像形成の結果と、に基づき補間する補間工程と、
算出手段が、前記補間工程による前記補間の結果に基づき、出力すべき画像データに対する画質の変動量を前記複数の画像形成デバイスそれぞれに対して算出する算出工程と、
決定手段が、前記算出工程の算出結果に基づき、前記画像データの出力先として前記複数の画像形成デバイスの優先順位を決定する決定工程と、
表示手段が、前記決定工程により決定された前記優先順位に従って、前記複数の画像形成デバイスの中から選択が可能な画像形成デバイスをリスト表示する表示工程と
を有することを特徴とする。
【手続補正５】
【補正対象書類名】明細書
【補正対象項目名】００１２
【補正方法】変更
【補正の内容】
【００１２】
あるいは、本発明に係る画像処理装置の制御方法は、複数の画像形成装置とネットワークを介して接続され、前記複数の画像形成装置のいずれかに画像データを送信する画像処理装置の制御方法であって、
抽出手段が、前記画像データから出現頻度の高い色を抽出する抽出工程と、
算出手段が、前記複数の画像形成装置においてキャリブレーションが実行され基準時間が経過した後の前記複数の画像形成装置における色ごとの色味の変動量と、キャリブレーション後の経過時間を用いて、前記画像データを送信する時に前記複数の画像形成装置それぞれに対して色味の変動量を算出する算出工程と、
表示手段が、前記算出工程によって算出された前記変動量を用いて、前記出現頻度の高い色の変動量を表示する表示工程と、
を有することを特徴とする。